(57)【要約】  容器本体とその開口部より着脱可能に挿入される中容器を有する二剤混合容器であって、前記中容器は、第二剤を収容する第二室と、その側面に形成された一つ以上の側面開口部とを有し、前記容器本体は、前記中容器の底部によって封止される、第一剤を収容する第一室と、前記中容器を後退させた時に前記第一室と前記第二室を連通させる、第二剤移動箇所とを有することを特徴とする二剤混合容器。
2012032636.tif 000002
【特許請求の範囲】
【請求項１】
容器本体とその開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所とを有することを特徴とする二剤混合容器。
【請求項２】
前記中容器は、前記容器本体の中容器収容部に収容され、
前記中容器の底部は、前記中容器収容部内側と接触して前記第一室を液密に封止する外面側密接部を有し、
前記容器本体は、前記中容器収容部に前記第二剤移動箇所を有し、前記容器の長手方向に直交する前記第二剤移動箇所の内側断面形状は、前記中容器の前記外面側密接部の外側断面形状より大きい、請求項１の二剤混合容器。
【請求項３】
前記容器本体は、前記中容器と密接する一つ以上の内面側密接部を有し、
前記中容器は、前記外面側密接部に加えて、更に前記容器本体と密接する一つ以上の外面側密接部を有する、請求項１の二剤混合容器。
【請求項４】
前記中容器は、前記側面開口部と前記底部とを含む円柱状部分を有し、
前記容器本体の前記中容器収容部は、前記中容器の底部の前記外面側密接部が当接する、テーパー部分を有し、
前記中容器を後退させた時に、前記円柱状部分と前記テーパ部分の間に隙間が形成される、請求項２の二剤混合容器。
【請求項５】
前記中容器は、前記側面開口部と前記底部とを含む円柱状部分を有し、前記底部の前記外面側密接部は前記底部の側面及び底面の少なくとも一つに位置し、
前記容器本体の前記中容器収容部は、前記中容器の前記外面側密接部と当接する、段差部分を有し、
前記中容器を後退させた時に、前記円柱状部分と前記段差部に隙間が形成される、請求項２の二剤混合容器。
【請求項６】
前記中容器は、前記側面開口部と前記底部とを含むテーパー部分を有し、前記底部の側面が前記外面側密接部であり、
前記容器本体は前記中容器収容部であるテーパー部分を有し、
これらテーパー部分は少なくとも一部で互いに当接し、
前記中容器を後退させた時に、これらテーパー部分の間に隙間が形成される、請求項２の二剤混合容器。
【請求項７】
前記中容器は、前記側面開口部と前記底部とを含む円柱状部分を有し、前記底部の側面に前記外面側密接部を有し、
前記容器本体の前記中容器収容部は、内壁に形成された溝部を有しかつ前記溝部より下で前記中容器の前記外面側密接部と当接する、円柱状部分を有し、
前記中容器を後退させた時に、前記円柱状部分と前記円柱状部分の前記溝部との間に隙間が形成される、請求項２の二剤混合容器。
【請求項８】
前記中容器は、前記底部を含む円柱状部分を有し、前記底部の側面に前記外面側密接部を有し、
前記容器本体の前記中容器収容部は、テーパー部分と、その下に位置する、前記中容器の前記外面側密接部が当接する円柱状部分と、を有し、
前記中容器を後退させた時に、前記中容器の前記円柱状部分と、前記容器本体のテーパー部分との間に、隙間が形成される、請求項２の二剤混合容器。
【請求項９】
前記中容器は前記容器本体に螺合により装着される、請求項１の二剤混合容器。
【請求項１０】
前記中容器の前記第二室の底部が、流出ガイド部を有する請求項１の二剤混合容器。
【請求項１１】
前記容器本体は、第一筒部、第二筒部、及び第三筒部がこの順で連続する、略筒状形状であり、
前記第一筒部は前記開口部を有し、前記第二筒部よりも内径が大きく、
前記第二筒部は、前記第三筒部よりも内径が大きく、
前記第三筒部は、前記中容器の前記第二室の底部と共に、前記第一室を形成する、請求項１の二剤混合容器。
【請求項１２】
前記容器本体は、前記中容器と密接する一つ以上の内面側密接部を有し、前記内面密接部の一つは、第二筒部内、又は、第二筒部に隣接して形成される、請求項１１の二剤混合容器。
【請求項１３】
前記中容器は、第一筒部、第二筒部、及び第三筒部がこの順で連続する、略筒状形状であり、
前記第一筒部、前記第二筒部、及び前記第三筒部の内側は、前記第二室である、請求項１の二剤混合容器。
【請求項１４】
前記中容器は前記容器本体の底部とは逆方向に向かい後退させ、前記外面側密接部を、前記第二剤移動箇所に位置させ、前記第二剤を、前記第一室に収容される第一剤中へ移動させる、請求項１の二剤混合容器。
【請求項１５】
前記中容器は、前記第二剤を投入する為の第二剤投入口と、
第二剤投入口からの第二剤の漏れを防止する被覆部とを有する、請求項１の二剤混合容器。
【請求項１６】
前記中容器の前記第二室の外壁の一部が外部に露出して形成される、請求項１の二剤混合容器。
【請求項１７】
更に、前記中容器の前記第二室を密閉する密閉蓋を有する、請求項１の二剤混合容器。
【請求項１８】
前記容器本体が軟質合成樹脂から形成され、前記中容器が硬質合成樹脂から形成される、請求項１の二剤混合容器。
【請求項１９】
前記中容器がその開口部から、別の中容器を着脱可能に収容する、請求項１の二剤混合容器。
【発明の詳細な説明】
【技術分野】
【０００１】
本発明は、容器内に別々に収容された二剤を混合可能な、二剤混合容器に関する。
【背景技術】
【０００２】
従来より二剤を混合する容器が用いられてきた。例えば、二剤を混合して用いる診断薬の為の容器として、例えば小児の咽頭炎等を引き起こす感染症のＡ群連鎖球菌の診断キットが販売されている。この診断キットの使用方法は次の通りである。
まず、検査に際して二種の試薬Ａ液とＢ液を、それぞれのボトルから一つの抽出用チューブへとそれぞれ４滴ずつ添加して、穏やかに混合する。そして、人体の咽頭等の患部に綿棒をあてて擦過して検体を採取した後、この綿棒を前述の抽出用チューブ内の混合試薬（Ａ＋Ｂ）に浸す。そして柔軟性のあるチューブごと綿棒をしごくことで、混合試薬に検体を抽出する。そして、テストストリップを抽出用チューブ内の検体抽出液に浸してから所定時間が経過した後に、結果を判定する。このような試薬は事前に混合して保管しておくと変質し、検査に用いることができない。したがって、医療現場で検査時に混合せざるを得ない。【０００３】
上記診断薬を用いる場合、通常、看護師や検査技師等が、医療現場において試薬Ａと試薬Ｂとを混合する操作を行う。しかしながら、多くの作業を行う際の忙しさ等の理由により、Ａ液とＢ液とを取り違えたり、Ａ液とＢ液の混合割合を間違えたり、又は加え忘れたりする場合がある。このような場合には、陰性にも関わらず偽陽性の結果がでたり、陽性にも関わらず偽陰性の結果がでたりするなど、正しい診断結果がでない場合がある。そのようなケースは、再検査が必要になるなどの、余計な作業をもたらしていた。【０００４】
このような不具合をなくすために、種々の二剤混合容器等が提案されている。
例えば、下記特許文献１に記載された二剤混合容器では、胴部がくびれた容器本体に縦長の栓体を途中（くびれ部）まで挿入して、くびれ部に栓体底を嵌合させている。容器本体の口部を螺合するキャップの内面中央には、栓体の周溝に嵌合する鍔を取り付けられている。これら構造により、栓体と容器本体の間に、二つの空間が形成される。すなわち、容器本体のくびれ部を挟んで上下に、二室が液密に分離される。密閉されたこれらの二室には、それぞれＡ液とＢ液が収容される。【０００５】
上記容器は、保管状態では、Ａ液とＢ液は容器本体の二室に分離され収容されているが、使用時にキャップを容器本体から外すと、キャップと栓体が鍔によって一緒に引き抜かれてくびれ部から外れる。従って、上下の二室に分離状態の二剤Ａ及びＢが自動的に混合される。
このような特許文献１に記載された二剤混合容器では、容器本体内部に栓体全体を納めるため、栓体の装着が簡易ではないという点があった。また栓体を引き抜くときに、容器本体のくびれ部の全周から上室のＢ液が一度に下室に落下するため、下室内の空気の逃げ場がなくＢ液がうまく落下できず、迅速な混合ができないという不具合があった。
【先行技術文献】
【特許文献】
【０００６】
【特許文献１】特開平６−２７８７５０号公報
【発明の概要】
【発明が解決しようとする課題】
【０００７】
本発明は、このような実情に鑑みて、分離状態の二剤をスムーズに混合できる、使いやすい二剤混合容器を提供することを目的とする。
【課題を解決するための手段】
【０００８】
本発明の第一の態様は、容器本体とその開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所とを有することを特徴とする二剤混合容器である。
なお本発明の二剤混合容器は以下の特徴を好ましく有する。
上記二剤混合容器では、前記中容器は、前記容器本体の中容器収容部に収容され、前記中容器の底部は、前記中容器収容部内側と接触して前記第一室を液密に封止する外面側密接部を有する事が好ましい。
上記二剤混合容器は、前記容器本体が、前記中容器収容部に前記第二剤移動箇所を有し、前記容器の長手方向に直交する前記第二剤移動箇所の内側断面形状は、前記中容器の前記外面側密接部の外側断面形状より大きい事が好ましい。
上記二剤混合容器では、前記容器本体は、前記中容器と密接する一つ以上の内面側密接部を有し、前記中容器は、前記外面側密接部に加えて、更に前記容器本体と密接する一つ以上の外面側密接部を有する事が好ましい。【０００９】
上記二剤混合容器では、前記中容器は、前記側面開口部と前記底部とを含む円柱状部分を有し、前記容器本体の前記中容器収容部は、前記中容器の底部の前記外面側密接部が当接する、テーパー部分を有し、前記中容器を後退させた時に、前記円柱状部分と前記テーパ部分の間に隙間が形成される事が好ましい。
上記二剤混合容器では、前記中容器は、前記側面開口部と前記底部とを含む円柱状部分を有し、前記底部の前記外面側密接部は前記底部の側面及び底面の少なくとも一つに位置し、前記容器本体の前記中容器収容部は、前記中容器の前記外面側密接部と当接する、段差部分を有し、前記中容器を後退させた時に、前記円柱状部分と前記段差部に隙間が形成される事が好ましい。【００１０】
上記二剤混合容器では、前記中容器は、前記側面開口部と前記底部とを含むテーパー部分を有し、前記底部の側面が前記外面側密接部であり、前記容器本体は前記中容器収容部であるテーパー部分を有し、これらテーパー部分は少なくとも一部で互いに当接し、前記中容器を後退させた時にこれらテーパー部分の間に隙間が形成される事が好ましい。
上記二剤混合容器では、前記中容器は、前記側面開口部と前記底部とを含む円柱状部分を有し、前記底部の側面に前記外面側密接部を有し、前記容器本体の前記中容器収容部は、内壁に形成された溝部を有しかつ前記溝部より下で前記中容器の前記外面側密接部と当接する、円柱状部分を有し、前記中容器を後退させた時に、前記中容器の前記円柱状部分と前記容器本体の前記円柱状部分の前記溝部との間に隙間が形成される事が好ましい。
上記二剤混合容器では、前記中容器は、前記底部を含む円柱状部分を有し、前記底部の側面に前記外面側密接部を有し、前記容器本体の前記中容器収容部は、テーパー部分と、その下に位置する、前記中容器の前記外面側密接部が当接する円柱状部分とを有し、前記中容器を後退させた時に、前記中容器の前記円柱状部分と、前記容器本体のテーパー部分との間に、隙間が形成される事が好ましい。
上記二剤混合容器では、前記中容器は前記容器本体に螺合により装着される、事が好ましい。
上記二剤混合容器では、前記中容器の前記第二室の底部が、流出ガイド部を有する事が好ましい。【００１１】
上記二剤混合容器では、前記容器本体は、第一筒部ｘ、第二筒部ｙ、及び第三筒部ｚがこの順で連続する、略筒状形状であり、前記第一筒部ｘは前記開口部を有し、前記第二筒部ｙよりも内径が大きく、前記第二筒部ｙは、前記第三筒部ｚよりも内径が大きく、前記第三筒部ｚは、前記中容器の前記第二室の底部と共に、前記第一室を形成する事が好ましい。
上記二剤混合容器では、前記容器本体は、前記中容器と密接する一つ以上の内面側密接部を有し、前記内面密接部の一つは、第二筒部ｙ内、又は、第二筒部ｙに隣接して形成される事が好ましい。
上記二剤混合容器では、前記中容器は、第一筒部Ｘ、第二筒部Ｙ、及び第三筒部Ｚがこの順で連続する、略筒状形状であり、前記第一筒部Ｘ、前記第二筒部Ｙ、及び前記第三筒部Ｚの内側は、前記第二室である事が好ましい。【００１２】
上記二剤混合容器では、前記中容器は前記容器本体の底部とは逆方向に向かい後退させ、前記外面側密接部を、前記第二剤移動箇所に位置させ、前記第二剤を、前記第一室に収容される第一剤中へ移動させる事が好ましい。
上記二剤混合容器では、前記中容器は、前記第二剤を投入する為の第二剤投入口と、第二剤投入口からの第二剤の漏れを防止する被覆部とを有する、事が好ましい。
上記二剤混合容器では、前記中容器の前記第二室の外壁の一部が外部に露出して形成される事が好ましい。
上記二剤混合容器では、更に、前記中容器の前記第二室を密閉する密閉蓋を有する事が好ましい。
上記二剤混合容器では、前記容器本体が軟質合成樹脂から形成され、前記中容器が硬質合成樹脂から形成される事が好ましい。
上記二剤混合容器を複数組み合わせて使用する場合には、前記中容器がその開口部から、別の中容器を着脱可能に収容する事もできる。
【発明の効果】
【００１３】
本発明の二剤混合容器は、中容器の側面開口部を介して、第二室の第二剤が、第二室から容器本体の第一室に、スムーズに流動し、容易に二剤を混合させることができる。
【図面の簡単な説明】
【００１４】
【図１】本発明の一例を示す二剤混合容器の側面図である。
【図２】図１に示す二剤混合容器の底面図である。
【図３】本発明の一例を示す二剤混合容器の側方断面図である。
【図４】本発明の一例を示すアルミ密閉シールが貼られた二剤混合容器の側方断面図である。
【図５】本発明の一例を示す透明密閉シールが貼られた二剤混合容器の上面図である。
【図６】図４に示す二剤混合容器の上面図である。
【図７】本発明の二剤混合容器の中容器の一例を示す側面図である。
【図８】本発明の二剤混合容器の中容器の一例を示す側面図である。
【図９】図８の側面開口部を拡大させた、拡大側面図である。
【図１０】図８の中容器の側方断面図である。
【図１１】本発明の二剤混合容器の外容器（容器本体）の一例を示す側面図である。
【図１２】図１１の外容器の側方断面図である。
【図１３】本発明の別の一例を示す二剤混合容器の側面図である。
【図１４】図１３に示す二剤混合容器の側方断面図である。
【図１５】図１３に示す二剤混合容器の容器本体の側面図と上面図である。
【図１６】図１３に示す二剤混合容器の中容器の側面図と上下面図である。
【図１７】図１６に示す中容器内の底部に形成した流出ガイドを示す斜視図である。
【図１８】図１４における容器本体と中容器の嵌合部を示す拡大断面図である。
【図１９】図１６に示す中容器の側方断面図である。
【図２０】図１４における容器本体の内面密接部から中容器のシールリングを離間した状態の拡大断面図である。
【図２１Ａ】二剤分離状態にある、図１３に示す二剤混合容器の側方断面図である。
【図２１Ｂ】中容器を緩めて二剤混合途中である、図１３に示す二剤混合容器の側方断面図である。
【図２１Ｃ】二剤が混合した状態にある、図１３に示す二剤混合容器の側方断面図である。
【図２２Ａ】中容器の底部に形成できる流出ガイドの一例を示す図である。
【図２２Ｂ】中容器の底部に形成できる流出ガイドの一例を示す図である。
【図２３Ａ】本発明の二剤混合容器の一例を示す側面図である。
【図２３Ｂ】図２３Ａの二剤混合容器の底面図である。
【図２４Ａ】図２３Ａに示す二剤混合容器に封止キャップを装着した側面図である。
【図２４Ｂ】図２４Ａに示す封止キャップの断面図である。
【図２５】図２４Ａに示す二剤混合容器の容器本体の側方断面図である。
【図２６】二剤混合容器の容器本体と封止キャップを分離した一例を示す図である。
【図２７】本発明の二剤混合容器の容器本体の一例を示す側方断面図である。
【図２８】本発明の二剤混合容器の容器本体の一例を示す側方断面図である。
【図２９】本発明の二剤混合容器の容器本体の一例を示す側方断面図である。
【図３０】本発明の一例を示す二剤混合容器の側方断面図である。
【図３１Ａ】本発明の一例を示す二剤混合容器の側方断面図である。
【図３１Ｂ】本発明の第二剤移動箇所Ａの一例を示す側方断面図である。
【図３１Ｃ】本発明の第二剤移動箇所Ａの一例を示す側方断面図である。
【図３２】本発明の一例を示す二剤混合容器の側方断面図である。
【図３３Ａ】本発明の一例を示す二剤混合容器の側方断面図である。
【図３３Ｂ】図３３Ａの容器本体と中容器の密接部を示す拡大断面図である。
【図３４】本発明の一例を示す二剤混合容器の側方断面図である。
【発明を実施するための形態】
【００１５】
以下、更に、本発明の実施形態の例を、具体的な容器の例の図面を参照して説明する。なお本発明はこれらの例のみに限られるものではない。本発明の要旨を逸脱しない範囲で、材料や数や位置や大きさや長さや数値などの、変更や追加や省略をする事ができる。また各実施態様で述べられる要件や好ましい例を、互いに交換し使用する事も可能である。また、図面においては、各構成をわかりやすくするために、実際の構造と各構造における縮尺や数等が異なる場合がある。
【００１６】
（二剤混合容器）
以下に図３を用いて、本発明の二剤混合容器の一例について説明する。
なお図１から図６は本発明の二剤混合容器１の一例を表し、図７から図９は、前述の二剤混合容器に含まれる中容器３の側面図を表し、図１０は中容器３の側方断面図を表す。また図１１と図１２は前述の二剤混合容器の容器本体２の側面図と断面図とを表す。
図３に示されるように、本発明の二剤混合容器１は、容器本体２と、その開口部２ａより着脱可能に挿入される中容器３とを有する。中容器３は、第二剤Ｂを収容する第二室Ｑと、その側面に形成された一つ以上の側面開口部１０とを有する。容器本体２は、中容器３の底部３ｂによって封止される第一剤Ａを収容する第一室Ｐと、前記中容器３を上方向に後退させた時に第一室Ｐと第二室Ｑを連通させる第二剤移動箇所１３（Ａ）とを有する。
【００１７】
中容器３は、容器本体２の中容器収容部２ｈに収容されており、中容器３の底部３ｂは、中容器収容部２ｈの内側と接触して第一室Ｐを液密に封止する外面側密接部３ｆを有する。容器本体２は、中容器収容部２ｈに第二剤の移動が可能である第二剤移動箇所１３（Ａ）を有する。二剤混合容器１の長手方向に直交する前記第二剤移動箇所１３（Ａ）での内側断面形状は、第二剤Ｂの移動を可能にする為に、中容器３の底部３ｂの外面側密接部３ｆでの外側断面形状より大きい。
すなわち、第二剤移動箇所１３(Ａ)は、中容器３を上方向に後退させた時に第一室Ｐと前記第二室Ｑを連通させる。中容器３の上端部は図５や図６で示されるような被覆材４で密閉される（図４参照）。
【００１８】
中容器３は、前記側面開口部１０と前記底部３ｂは円柱状部分に設けられ、容器本体２の中容器収容部２ｈは、中容器３の底部３ｂの外面側密接部３ｆが当接する、テーパー部分（段差部）５を有している。前記中容器３を上方向に後退させた時に、前記円柱状部分と前記テーパ部分５との間に隙間が形成される。なお前記円柱状部分はわずかにテーパ状であっても良い。また中容器３の底部３ｂの外面側密接部３ｆは、テーパー部分（段差部）５の上端で当接しても良い。
容器本体２は、中容器３と密接する一つ以上の内面側密接部２ｉを有し、中容器３は、底部３ｂの前記外面側密接部３ｆに加えて、更に容器本体２と密接する一つ以上の外面側密接部３ｆを有する。例えば密接部３ｆと密接部２ｉの組み合わせは、第一室Ｐを密閉する前記組み合わせに加えて、中容器３の着脱用把持部３ｄ下端面とそれに当接する外容器２の上端面など、容器本体の開口部近くで外部への液漏れを防止する密接部の組み合わせであってもよく、中容器３の移動を容易にするための中容器３から周方向にわたって突出するシールリング８などの密接部（突起）とそれが当接する容器本体２の内表面との組み合わせであっても良い。
【００１９】
二剤混合容器１の使用時に、中容器３の装着を緩め、容器本体２の底部２ｂとは逆方向に向かって中容器３を後退させると、二剤混合容器１の中央部分で互いに密接に当接していた容器本体２の密接部２ｉと中容器３の密接部３ｆは離間する。その結果、第一室Ｐと第二室Ｑとの連通を可能にする空間が、側面開口部１０と第二剤移動箇所１３（Ａ）の間に現れ、第二剤Ｂを第一剤Ａ中に移動させる。前述の密接部には、シールリングなどを用いてもよい。
【００２０】
（中容器）
以下に図７から図９を用いて、本発明の中容器３の一例について説明する。
（中容器の形状）
図７に示される中容器３は略筒状形状である。中容器３は、複数の筒部から構成され、図７や図８に示すように、第一筒部Ｘ、第二筒部Ｙ、及び第三筒部Ｚが、上から徐々にサイズが小さくなるようにこの順で連続する。第一筒部Ｘから第三筒部Ｚに向かうにつれ、段階的に、内径及び外径は小さくなる（図１０参照）。容器本体２の第一室Ｐを密閉した後には、第一筒部Ｘ、第二筒部Ｙ、及び第三筒部Ｚの内側が、第二室Ｑとなる。図７に示される第三筒部Ｚ（円柱状部分）は下に向かって僅かにテーパ形状だが、円柱であっても良い。第一筒部Ｘは開口部３ａ（第二剤投入口）を有し、第二筒部Ｙの外側面には、容器本体２の第一筒部ｘとの螺合を可能にする、雄ねじ部７などの、螺合形状が形成される。なお第二筒部Ｙが第三筒部Ｚを兼ねても良い。これらの各筒部は必要に応じてテーパー部や円柱部などを含んでも良い。
【００２１】
中容器３の第二筒部Ｙと第三筒部Ｚの境にはテーパー部２８が設けられる。中容器３の第三筒部Ｚは、側面開口部１０と、開口部１０をサイドから囲む壁２５、及び第二室Ｑの底部とを有する、第二剤移動部１１（Ｂ）を有する。
図８と図９では、中容器３の底部は逆テーパー状の流出ガイド１２を有する。図７は流出ガイド１２を有さない中容器の例を示す。容器本体２の第一筒部ｘの上端表面２Ｃは、中容器３の第一筒部Ｘの着脱用把持部の下端表面３ｅと当接する。
本発明において中容器３の形状は、前記容器本体２に着脱可能に装着できれば、特に限定されず、任意に選択される。容器本体２への中容器３の装着構造は、第一剤Ａと第二剤Ｂの密閉が保たれる構造であれば、如何なる構造であってもよい。なお中容器３は、着脱用把持部３ｄ等が、容器本体２内に収容される収容部と完全に一体化された構造である事が好ましい。
中容器３は、容器本体２内にその全てが収容される必要はない。図３に示す例では、中容器３はその一部が容器本体２に収められるが、他の一部（中容器の２剤混合用持ち手部３ｄなど）は着脱用把持部３ｄとして外部に露出し、中容器３を容器本体２の底部とは逆方向に向かい後退させるための、人間の手などにより外力が加えられる。
【００２２】
中容器３の着脱用把持部３ｄの形状は任意に選択できる。中容器３の着脱を容易にするための図３２に示すような取手を有したり、着脱用把持部３ｄの外周部又は蓋部分等に、力を加えやすくするため、溝部を形成したり、抵抗を高める模様や文字などを立体的に形成しても良い。外力を加えられる部分着脱用把持部３ｄは、中容器３と一体に形成されているので、物理的強度や耐久性に優れる。
容器本体２に収められる部分の、中容器３の外形は任意に選択でき、例えば、円柱状や、略筒状形状、底面を設けた逆円錐状（テーパー状）、多角柱状、多角錐、逆円錐台などであってもよい。底に向かうほど、徐々にサイズが小さくなる、多段階形状であっても良い。また容器本体２との装着を可能にする為の、螺合構造部分や契合などを任意に選択して使用できる。
【００２３】
（中容器の色や材料）
中容器３は、有色であっても無色や透明、半透明などであっても良い。中容器３の材料としては特に限定されず、樹脂や金属やガラスなどであっても良い。具体例を挙げれば弾性変形を生じる合成樹脂、例えばポリエチレン、ポリプロピレン、ポリスチレン、ポリカーボネート、ＡＢＳ樹脂、メタクリル酸樹脂等が好ましく挙げられる。容器本体２に軟質合成樹脂を使用する場合は中容器３に硬質合成樹脂を使用し、あるいは、容器本体２に硬質合成樹脂を使用する場合は中容器３に軟質合成樹脂を使用する事が、二剤混合容器の液密構造を維持する上で好ましい。
【００２４】
（中容器の第二室Ｑ）
図３に示すように、中容器３の第二室Ｑは、第二剤Ｂを収容し、かつ下部に一つ以上の側面開口部１０を有する。図１０では、複数の筒部からなる略筒状形状に形成される。具体的には、第一筒部、第二筒部、及び第三筒部がこの順で連続した、略筒状形状である。第一筒部、第二筒部、及び第三筒部に向かうにつれ、断面積が狭くなる事が、第二剤の移動性の面で好ましい。筒の断面積は段階的に狭くなっても良く、あるいは徐々に狭くなる構成でも良い。
本発明では、第二室Ｑの内側形状は、任意に選択でき、円柱状や、略筒状形状、底面を設けた逆円錐状（テーパー状）、多角柱状、多角錐、逆円錐台などであってもよい。その断面形状も任意であるが、円形が好ましい。
【００２５】
（中容器の第二剤移動部Ｂ）
図７に示すように、中容器３は、第二剤投入口である開口部３ａとは逆の端部に、すなわち第二室Ｑの下部位置に、第二剤移動部１１（Ｂ）を有する。第二剤移動部１１（Ｂ）には、底部３ｂと、側面に設けられた一つ以上の側面開口部１０と、側面開口部１０の間に位置する一つ以上の壁部２５が含まれる。底部３ｂは、流出ガイド部１２を有する事が好ましいが、含まなくても良い。側面開口部１０の数は任意であるが、１〜１０程度が適当であり、１〜４が好ましく、１〜３がより好ましい。第二剤Ｂの性質に応じて、流入を均一に行うために、２つ以上とすることも好まししく、３つ以上形成されていることも好ましい。１つであっても良い。側面開口部１０の形状も任意であり、例えば、四角、図７に示されるような長方形、円形、半円形、半楕円形、図９に示されるような台形等が例として挙げられる。スリット形状などでも良い。第二剤Ｂの移動のしやすさから、第二室Ｑの底部３ｂと、側面開口部１０の最下部（開口部３ａから最も遠い位置にある箇所）は少なくとも一箇所で接していることが好ましい。なお側面開口部１０を取り囲む端面は、容器の長軸方向に水平又は直交な面である必要はなく、例えば曲面や図３１Ａに示すような傾斜面を有しても良い。
【００２６】
（中容器の密閉）
第一剤Ａを収容した容器本体２に中容器３が装着された後、任意に選択される方法で、第二剤Ｂが中容器３の開口３ａから投入される。第二剤Ｂが加えられた後は、第二剤Ｂの漏れを防止する為に、中容器３は任意の方法で密閉される。
図４に示す例では、中容器３の開口部３ａが被覆部４により密閉される。密閉方法は任意で選択できる。図３３Ａに示されるようなはめ込み栓１９を蓋として開口部３ａから挿入しても良いし、図３２に示されるように蓋部１５に任意の形状の取手３ｄ’をつけて溶着などの方法で中容器３に固定しても良い。また図５や図６に示される透明シールやアルミシールなどの被覆部４を用いても良い。  
【００２７】
密閉シールなどの被覆物や蓋の材料や形状は任意で選択可能である。例えば、金属箔、ポリマー、紙、樹脂、及びその他有機物材料及び無機物材料から任意に選択してよい。金属やポリマーを組み合わせたもので合っても良い。また樹脂などの任意の材料で、表面コートや表面処理をされてもよい。中容器３へのシーリングには熱や接着剤などを用いても良い。密閉シールや蓋の形状は、円形形状や楕円形、略円形、三角、略三角、四角、台形、水滴形状などであってもよい。中容器の製造時に、中容器と一部で連結している蓋部を設けておき、二剤を収容した後に、再び蓋を閉めても良い。閉めた蓋を溶着などしても良いし、蓋を閉めた後に外れにくい構造としても良い。
密閉シールや蓋の厚さや形状は任意に選択できる。前記密閉シールなどの被覆物や蓋には、付着や剥離を容易にするために、持ち手としての突出部を設けることも好ましい。被覆物や蓋は、使用時に一旦剥がし、その後、再度接着や付着が可能である構成としてもよい。なお中容器３の密閉部は必ずしも端部３ａに設ける必要は無く、必要があれば、中容器３の開口部３ａより幾分内側に、例えばグリップ型着脱用把持部を有する蓋を溶着するなどして、密閉位置を設けても良い。
【００２８】
本発明では、必要に応じて、２剤混合前に、被覆物や蓋部を外して、第三の物質Ｄを第二剤Ｂに添加し、その後、第一剤Ａと、混合された状態の第二剤（Ｂ＋Ｄ）との、混合を行っても良い。第三の物質Ｄは、固体や液体であってもよい。ただしその際は、中容器の開口部から外に液体がこぼれ出さないように注意する必要がある。外した被覆物や蓋部（密閉部）を再び付着や取り付けが可能である事が好ましい。また前記混合後に、第二剤の落下を助ける為に、中容器３の被覆部４を外しても良い。
【００２９】
（中容器の突起部）
図７に示されるように、中容器３は側面開口部１０より上の位置に、シールリング８（突起部３ｇ）を有する。このように、中容器３の側面開口部１０の外周側の上部や下部には、中容器３の移動を容易にするために、また第二剤の上方や下方への漏れを防ぐために、必要に応じて少なくとも一つの突起部３ｇ（密接部３ｆ）を設ける事が出来る。シールリング８を中容器３の底部や底部付近から外方向に突出させれば、第一室Ｐの優れた液密状態を可能にするができる。シールリング８に対応する溝部を中容器３に設けても良いし、あるいは容器本体２に溝部を設けてもよい。なお突起部３ｇの形状や数や位置は任意である。中容器３の移動を容易にするために２〜６個程度の半球状等の形状の、小突起を設けても良い。また、シールリングなどの周方向に渡って連続する突起を設ければ、保管時の第一剤Ａや第二剤Ｂの漏れを防止する効果も得られる。このような突起３ｇを設けることにより、突起部３ｇが容器本体２の滑らかな表面部分を上下方向に移動できる為、容器本体２と中容器３との接触面積を小さくすることができ、二剤混合時に、中容器３の移動をスムーズに行う事ができる。
【００３０】
（中容器の流出ガイド）
図２０に示すように、中容器３は流出ガイド１２を有する事が好ましい。流出ガイド部１２の形状やサイズは任意で選択できる。下方向（第一室Ｐ方向）に向かって広がる、円錐形や、図１０に示される円錐台形、図２２Ａに示される多角錐台形、四角錐、三角錐、及び図２２Ｂに示される半球などが例として挙げられる。下方向に向かって広がる逆テーパー状である事が好ましく、流出ガイド１２の上部は平らな面や斜めの面が設けられてもよい。流出ガイド１２は単に底面に傾斜をつけた形状などであってもよく、側面開口部１０に流れを導くものであれば良い。なお、中容器３の流出ガイド部１２が、容器本体２の第一室Ｐの蓋部となって、第一剤Ａを第一室Ｐに閉じこめても良い。
（中容器の製造方法）
中容器３の製造方法は任意に選択できる。例えば、押し出し成形や射出成形などの成形を用いて一体成形してもよく、また、幾つかの部品を組み合わせて溶着などの任意の方法で接着や結合させても良い。
【００３１】
（容器本体）
次に、図１１と図１２を用いて本発明の容器本体２の一例について説明する。
（容器本体の形状）
図１２に示すように、容器本体２は有底の中空筒であり、開口部２ａと、底部２ｂと、中容器３の一部を収容する中容器収容部２ｈと、前記底部２ｂを有する第一室Ｐとを有する。なお第一室Ｐの蓋部は、中容器３の第二室Ｑの底部３ｂによって形成される（図３参照）。
【００３２】
図１２に示すように、容器本体２は略筒状形状である。容器本体２は複数の筒部から構成される。第一筒部ｘ、第二筒部ｙ、及び第三筒部ｚとがこの順で連続した略筒状形状として形成される。第一筒部ｘから第三筒部ｚに向かうにつれ、段階的に内径及び外径が小さくなる。内部容器の装着後は、第三筒部内が第一室Ｐとなり、開口部２ａを有する第一筒部ｘ、及び第二筒部ｙは、中容器３を収容する中容器収容部２ｈとして機能する。第一筒部ｘと第二筒部ｙの間、及び第二筒部ｙと第三筒部ｚの間には、テーパ形状部分５（段差部）が設けられている。第一筒部ｘ内側には、内側容器との螺合を可能にする、螺合構造部分（雌ねじ部１４）が設けられている。第一筒部ｘの外側面の下部には、容器を手に持った際の作業性を考慮した、突起部が設けられている。なお第二筒部が第三筒部をかねても良く、各筒部は必要に応じてテーパー部や円柱部などを含んで良い。前記筒部ｙは僅かにテーパー形状だが円柱であっても良い。容器本体２内にぴたりと収容されるように、中容器３の第二筒部や第三筒部を設計しても良い。
【００３３】
なお本発明の容器本体２の形状、使用される材料や部品、色などは限定されず、任意に選択される。螺合構造などを採用しても良いし、容器本体２に一つ以上の凹部（溝部）を形成し、中容器３には一つ以上の凸部（突起部）を形成して、互いに契合させ、使用時には外力を加え契合を外して、２剤を混合させても良い。あるいは逆に容器本体２に一つ以上の凸部を形成し、中容器３に一つ以上の凹部を形成しても良い。凹部と凸部の数、大きさ、形は任意で選択できる。例えば１〜２０の数の内の何れかであってもよい。例えば形状は、上から見た形状が、円形や、略円形、四角、略四角、三角、略三角、その他の多角形などであっても良い。  
【００３４】
容器本体２の外形は任意に選択でき、図１２に示すような略筒状形状であっても良く、図３１Ａに示すような円柱状や図３０に示すような底面を設けた逆円錐状（テーパー状）、多角柱状、又は多角錐などであってもよい。容器本体２の内表面部には、中容器３との装着を可能にする為の、螺合構造部分や、鍔部や溝部を任意の位置に有してよい。容器本体側面には、持ちやすさや美観などを考慮して、溝部を形成したり、抵抗を高める模様や文字などを立体的に形成しても良い。
容器本体２の内側形状も、図１２に示すような略筒状形状、任意に選択でき、図３１Ａに示すような円柱状や、図３０に示すような底面を設けた逆円錐状（テーパー状）、多角柱状、または多角錐などであってもよい。
【００３５】
（容器本体の色や材料）
容器本体２は、有色であっても無色や透明、半透明などであっても良い。容器本体２の材料としては特に限定されず、樹脂や金属やガラスなどであっても良い。具体例を挙げれば弾性変形を生じる合成樹脂、例えばポリエチレン、ポリプロピレン、ポリスチレン、ポリカーボネート、ＡＢＳ樹脂、メタクリル酸樹脂等が好ましい。中容器３と容器本体２は同じ材料で形成されてもよく、異なる材料で形成されても良い。容器本体２に軟質合成樹脂を使用する場合は中容器３に硬質合成樹脂を使用し、あるいは、容器本体２に硬質合成樹を使用する場合は中容器３に軟質合成樹脂脂を使用する事が、二剤混合容器の液密構造を維持する上で好ましい。
【００３６】
（容器本体の第一室）
図３に示されるように、容器本体２の第一室Ｐは、容器本体２の底部に位置し、第一剤Ａを収容する。第一剤Ａを収容後、中容器３の第二室Ｑの底部によって、密閉される。
（容器本体の中容器収容筒部）
図３に示すように、容器本体２の中容器収容部２ｈは、中容器３を収容すると共に、前記中容器を後退させた時に前記第一室Ｐと前記第二室Ｑとの連通が可能である、第二剤移動箇所１３（Ａ）を有する。第二剤移動箇所１３（Ａ）の、容器の長手方向に直交する内側断面形状は、前記中容器の底部にある外面側密接部の外側断面形状より大きい。これは中容器３の側面開口部１０から出た第二剤Ｂが第二剤移動箇所１３（Ａ）を介して容器本体２の第一室Ｐに移動する事が可能であり、かつ中容器３が上方に容器本体２の中を移動する事が可能である事を意味する。また容器本体２は、第二剤移動箇所１３（Ａ）よりも下に、前記中容器３の底部３ｂにある外面側密接部３ｆの外側断面形状より内側断面形状が小さく、かつ中容器底部が当接する、当接箇所２ｉ（密接部）を有する。
【００３７】
（容器本体の第二剤移動箇所Ａ）
図３に示されるように、容器本体２の中容器収容部２ｈは、前記第二剤移動箇所１３（Ａ）を有する。使用時に中容器３を後退させると、中容器３の第二剤移動部１１（Ｂ）が容器本体２の第二剤移動箇所１３（Ａ）まで移動し、第一室Ｐと第二室Ｑに連通部が形成され、第二剤Ｂが第一室Ｐ内に移動できる。
【００３８】
第二剤移動箇所１３（Ａ）の形状は任意である。例えば図３に示されるように、中容器３の底部３ｂより上に、中容器底部３ｂの外面側密接部３ｆの外側断面形状より内側断面が大きい箇所があれば、その箇所は全て第二剤移動箇所１３（Ａ）として考えてよい。図３０に示されるように、中容器３と容器本体２が互いに密接するテーパー形状であれば、第二剤移動箇所１３（Ａ）は、中容器３の底部より上にあるテーパー状部分である。第二剤移動箇所１３（Ａ）としては、例えば、図３１Ａに示すように、容器本体の前記中容器収容部の内壁に溝部を形成して、第二剤を第一室に移動させる空間部分を形成しても良い。図３１Ａに示す容器本体２は殆どの内断面が、中容器３の底部３ｂの外面側密接部３ｆにおける最大外断面と同じ又は小さいが、容器本体２は筒内側の途中に、水平外方向に周方向に連続して突出する空間２９（溝部）を有している。空間２９のサイズや形状は任意に選択可能であり、第二剤移動箇所１３（Ａ）として機能する。
容器本体２の内側筒部には必要に応じて雌ねじ部１４などの螺合形状などが形成されている。その位置は任意である。
【００３９】
（容器本体の製造方法）
容器本体の製造方法は任意に選択できる。例えば、押し出し成形や射出成形などの成形を用いて一体成形してもよく、また、幾つかの部品を組み合わせ溶着などの任意の方法で接着させても良い。
【００４０】
（密閉方法）
次に、本発明の二剤混合容器の、２種類の材料の密閉方法について説明する。
容器本体２を立て、その開口部３ａから、第一剤Ａを第一室Ｐ内に添加する。添加方法や添加量は任意であるが、他の部分に付着せず、第一室Ｐ内におさまる方法や量である事が好ましい。次に、容器本体２の開口部３ａから、中容器３を底部３ｂ側から収容する。この時、中容器３は、任意で選択された装着方法、例えば互いを固定するためにお互いに設けられた螺合構造等により、容器本体２に固定される。中容器３の底部３ｂは、上方向から下方向に螺着等によって与えられる力で、容器本体２のテーパー部（漏斗形状部）に押し込まれ、第一室Ｐの天井となり、第一剤を液密に密閉する。容器本体２の少なくとも一つの内面側密接部２ｉと、中容器３の少なくとも一つの外面側密接部３ｆとの密接により、この底部３ｂによる第一剤Ａの密閉は行われる。
【００４１】
本発明においては密閉を更に確実にする為に、必要に応じて中容器３と容器本体２の外側や内側の任意の箇所に、嵌合部分や係合部分、被覆部分やシール部分や、パッキンや、Ｏリング等を、更に設けても良い。第一剤Ａの漏出を確実に防止する為に、中容器３の底部３ｂの全周にわたって、凸構造部分や図１４に示されるシールリング８やパッキンやＯリング等を設けても良い。図３に示すように、容器本体２の上端面２ｉを、中容器３の円筒状露出部（着脱用把持部）の下端面３ｆに当接させて密閉状態を向上させても良いが、密閉状態を向上する為に、さらに図３１Ａに示すような中容器３の円筒状露出部３ｄの下端面や、容器本体２の上端面に、パッキンやＯリングを設けても良いし、全周にわたる凹構造部分や凸構造部分を設けても良い。例えば図３３Ａに示すように、中容器３の円筒状露出部の下面に溝部を設け、容器本体２の上端部を覆う構造であっても良い。
【００４２】
容器本体２を、機械強度に優れる一方で、ある程度の柔軟性を有する材料で形成すれば、中容器３を押し込んだ際に、中容器３の底部の断面サイズより若干断面サイズが小さい容器本体２内の位置で、中容器３の底部を固定することができる。すなわち、中容器３の底部が容器本体２を押し広げ密接することで、第一室Ｐに含まれる第一剤Ａを密閉してもよい。
または第一室Ｐと中容器収容部２ｈの境目に、全周にわたり、段差を設けても良い。段差の傾斜は任意で設定される。中容器３の底部３ｂの断面より中容器収容部２ｈの断面が小さくなるように段差を設けることにより、中容器３の底部の全周がこの段差の上に配置されて、第一室Ｐの密閉状態を可能にすることができる。なお液漏れ防止を更に向上させる為に、図３３ｂに示されるように、前記段差部分には必要に応じて、中容器３の底部３ｂの末端部１７を受け入れる全周にわたる溝部１８とそれを囲む突起１８’を設けても良い。
【００４３】
中容器３を容器本体２に完全に装着したあと、すなわち、第一剤Ａが漏れださない状態になった後、第二剤Ｂを中容器３の開口部３ａから投入する。投入された第二剤Ｂは、容器本体２の内側の一部と接触はするものの、それより下部に位置する、容器本体２と中容器３との密接部２ｉと３ｆにより、中容器３と容器本体２の境目から下に漏れ出す事はない。
【００４４】
第二剤Ｂを収容した後は、中容器３の開口部３ａを密閉する。前述したように密閉材料や方法は任意であるが、中身の第二剤Ｂが漏れ出さないことが必要である。
なお本発明の２剤混合容器１のサイズは特に限定されない。使用し易さの観点から２剤混合容器１の高さは、１ｃｍ以上５０ｃｍ以下が一般的であり、好ましくは３ｃｍ以上１５ｃｍ以下の長さであり、幅と奥行きがそれぞれ０．３ｃｍ以上１５ｃｍ以下であることが一般的であり、０．５ｃｍ以上５ｃｍ以下が好ましい。
容器本体２の底に、更に任意の構造を設けても良い。例えば開閉部分を設けたり、別の構造などを設けても良い。図２５に示すように、底に開口部２ｄを設け、開口部２ｄに対し螺着などにより着脱可能な蓋部２４を設けてもよい。あるいは、図３０に示されるように、容器本体２の底部付近の外壁に周方向にＶ型や蓋の切れ込み等の溝部を設けておき、二剤混合後に底部を切り取るか、又は、一部切り込みが無い部分を設ける事により容器本体に一部接合させたまま続き蓋として底部を外し、混合液を容器の下から取り出しても良い。
【００４５】
（収容される材料の種類）
本発明の２剤混合容器に収容できる液は任意に選択できる。収容する液体の性質に合わせて、容器の材料を選択する事で対応できる。液体の具体例を挙げれば、亜硝酸ナトリウム水溶液、酢酸水溶液、過酸化水溶液、及びトリス緩衝液等が挙げられる。なお本発明では混合が可能であれば、液体の代わりに固体や粘性物を収容しても良い。どちらか一方が固体であり、一方が液体であっても良い。個体の形状は任意に選択でき、粉体、錠剤、破砕体など、好適な形状を選択できる。
【００４６】
以下に本発明の２剤混合容器の好ましい別の例を、図３０から図３３を用いて詳細に説明する。
図３０は本発明の一例を示す二剤混合容器１の側方断面図である。容器本体２及び中容器３は全体的にテーパー形状である。中容器３は、１つの側面開口部１０と底部３ｂとを含むテーパー部分を有し、前記底部の側面が前記外面側密接部３ｆとして機能する。容器本体２は前記中容器収容部２ｈであるテーパー部分を有し、中容器３と容器本体２のテーパー部分は少なくとも一部で互いに当接し、前記中容器の前記中容器を後退させた時に、互いのテーパ部分の間に隙間が形成される。中容器３は容器本体２に螺着により装着される。
中容器３は、開口部３ａを有する第一筒部、螺着構造が外表面に形成された第二筒部、側面開口部１０を有する第三筒部からなる。第二剤収容部（第二室Ｑ）は、中容器の第一筒部、第二筒部、及び第三筒部の内部に形成されており、第一筒部内のテーパー部、第一筒部内と第二筒部内をつなぐテーパー部、連続した第二筒部内と第三筒部内とで形成されるテーパー部とを含み構成される。中容器３に流出ガイド部は含まれない。中容器３の側面開口部１０と底部３ｂを含む中容器の第二剤移動部１１（Ｂ）の側面は、容器本体２の内側表面に密着しており、このため第二剤Ｂが漏れ出すことはない。中容器３の底部によって、第一室Ｐは完全に密閉されている。中容器３の底部にはシールリング等を設けても良い。
【００４７】
中容器上面は被覆材４によって密閉される。容器本体２はテーパー状であって、内表面に中容器３を装着させる螺着構造が設けられている。着脱用把持部３ｄを回転させて中容器３を上方向に移動させる事により、側面開口部１０も上方向に移動し、第一室Ｐと第二室Ｑが連通する。容器本体２の内側形状は、中容器３の外形状よりやや小さめに形成してもよい。容器本体２は適度な柔軟性を持たせてあり、螺着により中容器３を押し込む時に、容器本体２は壊れない程度に適度に密閉性を保ちつつ広がり、互いに密接し、内容物が漏れることの無い二剤混合容器１を形成する。使用時には中容器の螺着を緩めることで中容器３の底部３ｂが容器本体の第二剤移動箇所１３（Ａ）横に移動し、中容器３の底部の脇に、空間ができる。その空間から、第二剤Ｂが第一室Ｐ内に移動し、第一剤Ａと混合する。容器本体２の底部の上の位置には切れ込み２６が周方向に渡って入れられており、必要があれば底部を切り取ってここから混合剤を取り出すことができる。二剤混合後、再び螺着を行い、底部を上に向けて切り取りを行えば、切り取り時に混合剤によって手が汚れる事がない。切り込み２６は内側から、あるいは外と内の両方から設けられてもよい。
【００４８】
図３１Ａは、本発明の一例を示す円筒状の二剤混合容器１の側方断面図である。二剤混合容器１の外観はシンプルな円柱形状である。中容器３は、側面開口部１０と底部３ｂとを含む円柱状部分を有し、底部３ｂの側面に外面側密接部３ｆを有する。容器本体２の中容器収容部２ｈは、内壁に形成された溝部２９を有し、かつ前記溝部２９より下で中容器３の外面側密接部３ｆと当接する、円柱状部分を有する。前記中容器３を後退させた時に、中容器３の前記円柱状部分と容器本体２の前記円柱状部分の前記溝部との間に隙間が形成される。容器本体２は、第一筒部、第二筒部、及び第三筒部とで構成され、第一筒部は開口部２ａと螺着構造部、第二筒部には内壁にドーナッツ状に設けられた空間部２９を有し、第三筒部は円筒状の第一室Ｐを形成する。中容器３は、開口部３ａを有する第一筒部、螺着構造が形成された第二筒部、側面開口部１０と底面３ｂを有する第三筒部からなり、内部に円筒状第二室Ｑが形成される。中容器３の第一筒部は着脱用把持部３ｄであり隣接する第二筒部よりも外周が大きく、容器本体２の外周や外形と同じである。よって中容器３の容器本体２への装着時には、滑らかな一体となった表面を提供する。装着の際には容器本体２の第一筒部の上縁と中容器３の第一筒部の下縁が当接して密閉を行うが、この間にはパッキン９を設けて、密閉性を高めている。この混合容器１に流出ガイド部は含まれない。
【００４９】
容器本体２の内側中央付近には周方向に溝部（当接部）が設けられ、その溝には周方向に外方向に突出するように設けられた中容器３の底部の突起（当接部３ｇ）が契合される。容器本体２には中容器３の突起３ｇと中容器との当接する当接部２ｉが溝として設けられているが、密閉が十分であれば、容器本体内に溝部を設けず、突起３ｇで第一室Ｐの密閉を保ってもよい。当接部３ｇとしてＯリングを用いてもよい。又は、容器本体２に適度な柔軟性を持たせ、中容器３の最大断面を容器本体２の内径より僅かに大きくして、第一収容室Ｐの密閉状態を保っても良い。前記のうち幾つかを組み合わせても良い。中容器３には、２つの側面開口部１０が、中容器３の底部の側面に設けられる。第二剤Ｂの移動がしやすいように、側面開口部１０の上縁部は、下に向かう傾斜面が設けられている。傾斜部は側面開口部１０の下縁部に設けられても良く、その両方であっても良い。
【００５０】
中容器３は、第一室Ｐを液密に保つ外面側密接部３ｆを有する第二室Ｑの底部３ｂと、容器本体２の底部２ｅからの距離が前記外面側密接部３ｆまでの距離よりも長い位置にある一つ以上の側面開口部１０と、を有する第二剤移動部１１（Ｂ）を有する。中容器３の第二剤移動部１１（Ｂ）の底部により、容器本体２の第一室Ｐは完全に密閉される。中容器３上面は被覆材によって密閉され、容器本体２には内表面に中容器３を装着させる螺着構造が設けられる。
未使用状態の二剤混合容器１の容器本体２には、中容器３の側面開口部１０よりも上部にありかつ螺着構造より下に位置する、内周方向に連続する空間部２９が設けられている。使用時に、中容器３を上方向に移動させると、中容器３の底部３ｂの脇に、空間部２９が出現する。この空間部２９により、側面開口部１０を介して、第一室Ｐと第二室Ｑが連通し、その空間から、第二剤Ｂが第一室Ｐ内に移動し、第一剤Ａと混合する。
なお良好な連通を可能にする為には、底部３ｂの下表面が、空間部２９の最も低い部分を超える事が必要である。空間部２９の形状は、連通によって第二剤Ｂが第一室Ｐに移動可能なものであれば良く、任意であり、例えば断面が、四角形、長方形、半円形、半楕円形、台形や、図３１Ｂや図３１Ｃに示されるように、半円や半楕円、三角形などであってもよい。前記空間は第二剤Ｂの移動を容易にするように傾斜部が設けられてもよく、周方向に、ドーナッツ状に連続させても、あるいは一つ以上の空間を別々に設けても良い。
中容器３の底部３ｂによって十分に第一室Ｐの密閉が保たれれば、空間部２９以外にも、中容器３の第二や第三筒部と容器本体２の第二筒部との間に図３１Ｂや図３１Ｃに示されるような隙間があってもよい。
【００５１】
図３２は、本発明の一例を示す二剤混合容器１の側方断面図である。この二剤混合容器１において、図１に示される容器と同じ構成の箇所については説明を省略する。容器本体２は、図１に示される容器本体２と同じ構造である。中容器３は、図１の第一筒部がなく、第二筒部及び第三筒部とで構成されている。中容器３の前記第二筒部は、容器本体２の第一筒部とこれに連続するテーパー部との間に形成される隙間が小さくなるように設計されている。
第一筒部の代わりに、平たい取手３ｄ’（着脱用把持部）のついた蓋部１５が形成されている。取手形状は任意である。第一剤Ａを容器本体２に収容させた後、任意の方法で、例えば内側から力を回転する方向に加える事によって、中容器３は装着される。中容器３に第二剤Ｂを収容した後、取手付き蓋部１５がはめ込まれ、必要があれば、溶着や接着などの方法で完全に結合される。なお二剤混合容器１の使用時に螺着を外す際には、取手３ｄ’を持って中容器３を回転させるが、この時蓋部が取れてしまわないように、結合を強く行う必要がある。
【００５２】
図３３Ａは、本発明の一例を示す二剤混合容器１の側方断面図である。この二剤混合容器１において図１に示される容器と同じ構成の箇所については説明を省略する。中容器３は、側面開口部１０と底部３ｂとを含む円柱状部分を有し、前記底部の外面側密接部３ｆは底部３ｂの側面及び底面の少なくとも一つに位置する。容器本体２の中容器収容部２ｈは、中容器３の外面側密接部３ｆと当接する、段差部３０を有し、中容器３を上方向に後退させた時に、前記円柱状部分と前記段差部３０の間に隙間が形成される。段差部３０の角度は任意に選択できる。水平でも上下のどちらかに向かい傾斜してもよい。容器本体２は、第二筒部と第三筒部の境目に、段差部３０として、中容器３の底部３ｂの縁１７を受けとるドーナッツ状の溝部１８と、その内側端部の突起１８’を設けた以外は、図１に示される容器本体２と同じ構造である。図３３ｂに示される、前記溝部と突起の存在で、第１室Ｐの密閉性を得ることができる。前記突起１８’は省略しても良い。溝部にはパッキンなどを設けても良い。
中容器３の第一筒部にある着脱用把持部３ｄは下側に、本体容器２の第一筒上端部を収容する溝部３１とその縁部を有する。この縁部と溝部１８の存在で、本体容器２と中容器３の上部境目からの第二剤Ｂの漏れ出しを、防止する効果を高めることができる。溝部３１にはパッキンなどを設けても良い。
中容器３の第一筒部の開口部３ａは、はめ込み式キャップ１９で密閉されている。はめ込む深さは任意で設定できる。このキャップは接着しても接着されなくても良い。キャップ１９は容易に外されてしまわないように、第一筒部と第二筒部の境目付近に配置しても良い。
【００５３】
本発明の二剤混合容器１は、必要に応じて、複数の材料の混合に使用される事が可能である。その場合には、例えば図３４に示すように、中容器３や容器本体２の両方、又は片方に、中容器と容器本体の両方の機能を持たせれば良い。
図３４は、図３に示す本発明の二剤混合容器１を改良した容器である。容器本体２の底を、サイズを小さくした中容器３の第二筒部と第三筒部の形状と同じように形成してある。また更にその下には、サイズを小さくした他は図３に示す容器本体２と同じ、第二の外容器２’を設けている。第二の外容器２’には第三室Ｒが含まれ、これは容器本体２の底部３ｂ’によって密閉される。
図３４の二剤混合容器１（最終的には三剤が混合されるが、二剤ずつの混合が順次行われるので、二剤混合容器と記載する）においては、第一室Ｐ、第二室Ｑ、第三室Ｒは、完全に密封されている。中容器３と外容器２の組み合わせ、及び、外容器２と第二の外容器２’の組み合わせは、螺着で装着されているが、その他の装着方法を採用しても良い。外容器２と第二の外容器２’との境目からの第三剤の漏れを防ぐ為に、外容器２には、第二の外容器２’の上端と密着する、周方向の段差２７が設けられている。ここにはシーリングなどを用いても良い。
【００５４】
本例の二剤混合容器１では、材料密閉時には、外容器２’に第三剤Ｃを添加し、これに外容器２を装着した後、外容器２に第一剤Ａを添加する。その後、外容器２に中容器３を装着し、第二剤Ｂを添加し、最後に被覆材４で密閉する。
混合容器１の使用時には、中容器３の持ち手部分３ｄを回して、中容器３と外容器２の螺着を緩め、第一剤Ａと第二剤Ｂの二剤を混合した後、外容器２と外容器２’を持って外容器２と外容器２’の螺着を緩める。この方法で、前述の材料（Ａ＋Ｂ）と、外容器２’に含まれる別の材料である第三剤Ｃとの、二剤混合を行う事ができる。あるいは、外容器２と外容器２’の螺着を緩め、第一剤Ａと材料である第三剤Ｃの混合を行った後、中容器３と外容器２の螺着を緩め、混合物（Ａ＋Ｃ）に、第二剤Ｂを加えてもよい。螺着を緩め混合した後は螺着を閉めて良い。なお下に行くほど室の容量が少なくなるので、その点を考慮して材料の量を決定する事が必要である。また図３４では下に行くほど室サイズが小さくなるが、例えばＰ室に逆テーパー部を設けるなどすれば、室サイズを小さくする必要はない。
【００５５】
実施例
以下、本発明による二剤混合容器の実施例について添付の図１３から図２９に基づいて説明する。本実施例による二剤混合容器１に分離状態で収容される二剤は、例えばＡ液（Ａ剤）とＢ液（Ｂ剤）は、診断時に混合されて使用されるものである。本例では、二剤を混合して、感染症であるＡ群β溶血性連鎖球菌抗原を抽出する試薬である。
図１３及び図１４に示す本実施例による二剤混合容器１は、二剤のうちの一方であるＡ液を下部に収容した有底の容器本体２と、二剤のうちの他方であるＢ液を収容して容器本体２内に装着される有底の中容器３と、中容器３の口部３ａを密閉する被覆材４とを備えている。中容器３は、底部３ｂを含む円柱状部分を有し、底部３ｂの側面に外面側密接部８（３ｆ）を有する。容器本体２の中容器収容部２ｈは、テーパー部分と、その下に位置する、前記中容器の前記外面側密接部８（３ｆ）が当接する円柱状部分と、を有し、中容器３を後退させた時に、前記中容器の前記円柱状部分と、前記容器本体のテーパー部分５との間に、隙間が形成される。なお前記円柱状部分とは僅かにテーパー形状を有しても良い。
ここで、容器本体２でＡ液を収容する部分を第一室Ｐとし、中容器３でＢ液を収容する内部を第二室Ｑとする。
【００５６】
容器本体２は、上端に口部２ａを有すると共に、底部２ｂに向けて次第に内径が小さくなるテーパ筒形状を有しており、途中部分にその上下部分より大きく傾斜したテーパ状の段差部５が形成されている。そして、段差部５の下方側のテーパ形状の円筒状内面の一部は、内面密接部を形成するテーパ当接面６である。（図１４参照）。
図１４及び図１６に示す中容器３は、口部３ａから底部３ｂに向けて次第に内径が小さくなるテーパ筒状に形成される。底部３ｂに形成した円筒状外周面３ｃには、容器本体２のテーパ当接面６に嵌合して全周を液密に封止する密接部として、シールリング８が形成されている。容器本体２と中容器３はいずれも弾性変形可能な合成樹脂で形成されている。このため、シールリング８がテーパ当接面６に嵌合することで、容器本体２の底部２ｂ側の第一室Ｐと口部２ａ側の中容器３を含む第二室Ｑとを液密に分離してシールする。中容器３の上部の外周面には雄ねじ部７が形成されている。
【００５７】
中容器３において、円筒状外周面３ｃの口部３ａ側には、開口部１０が内外を連通して形成されている。開口部１０は周方向に少なくとも１つあればよい。２つ以上とする場合は壁部１１の幅を小さくした方がＢ液が流入しやすいので、開口部１０を先細の台形形状とすることが好ましい（図１６参照）。本実施例では壁部１１を挟んで等間隔に先細の台形形状の開口部１０が３つ形成されている。中容器３内の底部３ｂには、例えば円錐台（または円錐）形状の流出ガイド１２が形成されている（図１７参照）。この形状であれば、開口部１０との対向位置を調整する必要がないので好ましい。
また、容器本体２には内側面に、中容器３の外周面の雄ねじ部７と液密に螺合する、雌ねじ部１４が形成されている。容器本体２の雌ねじ部１４には、中容器３の雄ねじ部７との螺合を緩めた際に、空気が外部と中容器３及び容器本体２の隙間を通して流出流入するように、切り欠けが設けられている（図示せず）。
【００５８】
そして、図１４に示すように、容器本体２内に中容器３を挿入して、中容器３のシールリング８で容器本体２のシール当接面６に嵌合させて、被覆材４で液密に密閉した状態である。中容器３の外周面と容器本体２の内面とは全周に亘って当接している。その下部で、容器本体２の段差部６を含む内面と中容器３との間に、リング状の間隙Ｋが形成されている（図２１Ａ参照）。
この二剤混合容器１は、密閉状態において、容器本体２内の底部２ｂと中容器３との間に形成される第一室ＰにはＡ液が収容されており、中容器３の底とシールリング８で液密に封入されている。中容器３内の第二室ＱにはＢ液が液密に封入されている。一部のＢ液は開口部１０から容器本体２との間隙Ｋに流出する。しかし、中容器３の底とシールリング８で液密に保持されるので、二剤混合容器１の姿勢に関わらずＡ液、Ｂ液の二剤は、分離状態に保持される。
容器本体２に中容器３を螺合させて液密に封止した状態から螺合を緩めて、中容器３を持ち上げると、中容器３が移動する。このため、テーパ当接面６とシールリング８とが離間し、中容器３と、容器本体２の第一室Ｐとが、間隙Ｋや開口部１０を介して連通する（図２０参照）。
【００５９】
この二剤混合容器１の材質は合成樹脂製である。例えば容器本体２は低密度ポリエチレン、中容器３はポリエチレン、ポリプロピレン、キャップ４はポリプロピレン等で製造されている。
また、Ａ液、Ｂ液の二剤は任意で選択できる。例えば、Ａ群β溶血性連鎖球菌抗原を抽出する試薬であり、具体例を挙げれば、Ａ液は亜硝酸ナトリウム水溶液、Ｂ液は酢酸水溶液である。二剤混合容器に収容されるＡ液、Ｂ液の量は任意で設定可能である。具体例を挙げれば、Ａ液、Ｂ液の量は共に２００〜３００μｌである。
【００６０】
本実施例による二剤混合容器１は上述の構成を備えている。次にその使用方法について説明する。
まず、図１３及び図１４に示す二剤混合容器１において、容器本体２に中容器３を挿入する前に、Ａ液を正確に測定して第一室Ｐに注入する。その後、中容器３を挿入して、下部外周面３ｃのシールリング８をテーパ当接面６に嵌合して液密に装着する。続いて、中容器３内にＢ液を正確に測定して注入する。Ｂ液は開口部１０より高い位置に液面があることが好ましいが、開口部１０の途中に液面があってもよい。容器本体２は、テーパ当接面６と中容器３の底とシールリング８とで液密にシールされているために、Ｂ液はＡ液と分離して保持される。
容器本体２の内側面の雌ねじ部１４で中容器３の雄ねじ部７と螺合させると、その後の被覆材４による被覆により、容器は液密に密閉される。そのため、二剤混合容器１が保管時や運搬時に倒れてもＡ液とＢ液が混合したりＢ液が外部に漏洩したりしない。
【００６１】
そして二剤混合容器１の使用時の際には、例えば検体の診断に際して、図２１Ａに示す二剤混合容器１の密閉状態から、中容器３の露出部を持って緩めると、中容器３が容器本体２から一部外れ（図２１Ｂ参照）、中容器３が、容器本体２から外れる方向に移動する。これによって、中容器３のシールリング８が容器本体２のテーパ当接面６から外れて段差部５に移動する。容器本体２と中容器３との間に連通部が形成され、間隙Ｋも広がり、間隙Ｋと連通部の存在により、中容器３内のＢ液は流動し、開口部１０を経由して間隙Ｋを通って、容器本体２の第一室Ｐに落下する。
【００６２】
このとき、中容器３の開口部１０に隣接して存在する壁面１１からは、Ｂ液が第一室Ｐへ流出しない。容器本体２内の第一室Ｐから、Ａ液側の空気がスムーズに間隙Ｋに流動する。そのため、第一室Ｐ内で、Ｂ液の流入と空気の置換が起こり、Ｂ液はスムーズに容器本体２内の第一室Ｐ内に流入してＡ液と混ざる。間隙Ｋ内に流入した第一室Ｐ内の空気は、中容器４内のＢ液の流出に応じて３つの開口部１０のうち少なくとも１つの開口部１０から、中容器３内に流入する。空気の流入はスムーズに行われ、中容器３の第二室Ｑ内のＢ液は、開口部１０からスムーズに追い出される。中容器３内のＢ液は、円錐台形状の流出ガイド部１２により、流出ガイド部と対向する位置にある開口部１０側へと、流出をガイドされて、開口部１０からスムーズに容器本体２内の第一室Ｐ内に落下し、更にＡ液と混ざる。
また、中容器３を緩めた時、内部の一部の空気は、雄ねじ部７と雌ねじ部１４の間から容器本体２と中容器３の隙間を通して外部に流出する。これと同時に、雄ねじ部７と雌ねじ部１４の隙間を通って外部の空気が流入して、開口部１０から中容器３内に流入する。
【００６３】
開口部１０が１つ、または２つの場合でも、中容器３の内外の圧力差やＢ液の液面の低下により、容器本体２内の第一室Ｐでは、Ａ液とＢ液が混合させられる。
このようにして、容器本体２内の第一室Ｐでは、Ａ液とＢ液が混合させられる。
そして、中容器３を容器本体２から取り外し、検体が綿球に付着した綿棒を、Ａ液とＢ液の混合液中に浸す。この状態で、容器本体２を外側から指でしごいたり、綿棒を混合液中で振ったりすることで、綿球に付着した検体を混合液中に抽出する。容器本体２に軟質合成樹脂を使用し、中容器３に硬質合成樹脂を使用すれば、外側から指でしごく事も容易である。検体を抽出した混合液は、イムノクロマト法による診断に使用することができる。例えば、検体を抽出した混合液に、ディップスティック型のイムノクロマト試薬を浸して、診断することができる。
或いは、検体を抽出した混合液を二剤混合容器１からイムノクロマト法による測定器具に滴下して診断してもよい。
【００６４】
上述のように、本実施例による二剤混合容器１は、予め正確に計測して分離状態に収容したＡ液とＢ液を、中容器３を緩めることで正確且つ簡単に混合することができる。
しかも、Ａ液とＢ液の混合に際して、中容器３にはその周方向にそって壁部１１を挟んで開口部１０を形成した。よって、二剤を混合させる際に、容器本体２内の一室Ｐ内に中容器３の開口部１０を介してＢ液を流入させると共に、一室Ｐ内の空気は中容器３の壁部１１との間の間隙Ｋを通して追い出され置換される。よってスムーズにＡ液とＢ液の混合が行われる。また、中容器３の開口部１０と壁部１１によって、Ｂ液と第一室Ｐ内の空気との置換もスムーズに行われる。
更に、Ａ液とＢ液を分離状態に保持する中容器３のシールリング８は、容器本体２のテーパ当接面６に嵌合し、第一室Ｐと第二室Ｑを分離して液密にシールでき、しかもキャップ４の締め込みを緩めることで簡単且つ確実に離間できる。  
【００６５】
次に本実施例の変形例や他の実施例について説明する。上述した実施例による二剤混合容器１と同一または同様な部材、部品には同一の符号を用いてその説明を省略する。
図２２Ａと２２Ｂは流出ガイド部１２の変形例を示す。図１１Ａに示す流出ガイド１２Ａは三角錐台形状である。三角錐形状でもよい。流出を助けるために、この三角錐台の各側面（平面）は開口部１０に対向する位置に設けることが好ましい。また、図１１Ｂに示す流出ガイド１２Ｂは略半球状に形成されている。形状は開口部１０との対向位置を調整する必要はない。
【００６６】
図２３Ａ〜図２５は本発明の第二実施例による二剤混合容器２０を示すものである。
第一実施例との相違点は、二剤混合容器２０の容器本体２の底部２ｂが封止されておらず、開口２ｄを有していると共に、内部に濾過用フィルター２１が設けられている点である。Ａ液とＢ液の混合液は、濾過用フィルター２１を通して滴下可能である。
そして、容器本体２の下部には、段付き筒部形状を有する、滴下用のノズル２２が一体に形成されている。その外周面には２本以上の適宜数のリブ２３が、所定間隔を以て形成されている。このリブ２３によって、封止キャップ２４との嵌合調整を簡便に行うことができる。第二実施例では、６本のリブ２３が設けられている。このノズル２２の外部には封止キャップ２４が液密に嵌合される。封止キャップ２４がＡ液とＢ液の混合液がノズル２２を通して漏洩するのを防止している。
なお、リブ２３は図２６に示すように４本設けても良い。また、ノズル２２と封止キャップ２４とは螺合構造としても良い。
【００６７】
本第二実施例による二剤混合容器２０では、中容器３を容器本体２との嵌合状態から上方に離間させると、Ｂ液が容器本体２の第一室Ｐに流入してＡ液と混合する。その後、その混合液が更に濾過用フィルター２１を通過する。なお、濾過用フィルター２１はなくても良い。そして、封止キャップ２４をノズル２２から外すことで、ノズル２２内の混合液が下方向、例えば図示しないイムノクロマト法による診断薬などに、滴下する。そして、診断等に用いることができる。
【００６８】
次に図２７、図２８、図２９は容器本体２の他の変形例を示すものである。
これらの変形例は、容器本体２内でＡ液とＢ液を混合する、二剤混合容器１に関する。図２７に示す容器本体２は底部２ｅが水平型に形成されている。その下には隙間が形成されている。図２８に示す容器本体２は底部２ｆが半球状に形成されている。図２９に示す容器本体２には底部２ｇが逆さロート型に形成されている。底部２ｅ〜２ｇなどの本体容器の底部は、注射針を刺して混合液を抽出できるように、ピアッシング用に薄肉に形成してもよい。
【００６９】
また、中容器３のシールリング８は、サイドの、中容器３の円筒状外周面３ｃに設けなくてもよい。例えば中容器３の下端にシールリング８を設けると共に、テーパ当接面６を容器本体２の段差部５に形成してもよい。この場合、中容器３の下端の外径を段差部５に当接するように、密閉性を挙げるために段差部５を拡径して形成すればよい。
【００７０】
なお、本発明による二剤混合容器は、実施例で説明した診断薬に限定されることはない。薬液、化粧品、ドレッシングや他の調味液等の食品等、適宜の二剤を分離状態に保管しておき、使用時や必要時等に混合させる必要がある、任意の二種の液体やペースト等を用いる事ができる。第一剤であるＡ液については、粉体や粒体等も用いることができる。
【００７１】
また、第一剤であるＡ液の代わりに錠剤でも使用することができる。例えば、胃のレントゲン検査時に患者が水と発泡剤を飲むが、この場合にも、一定量の発泡剤を容器本体に収容し、一定量の水を中容器に収容しておくような使用もできる。  
【産業上の利用可能性】
【００７２】
分離状態の二剤を簡便かつスムーズに混合できる。
【符号の説明】
【００７３】
１  二剤混合容器
２  容器本体
２ａ  容器本体の口部（開口部）
２Ｂ  容器本体の底部
２ｃ  容器本体の上縁面
２ｄ  容器本体底部の下部の開口
２ｅ  容器本体の底部
２ｆ  容器本体の底部
２ｇ  容器本体の底部
２ｈ  容器本体の中容器収容部
２ｉ  容器本体の、中容器との当接部（密接部）
２ｊ  容器本体の溝部
３    中容器
３ａ  中容器の口部（開口部）
３ｂ  中容器の底部
３ｃ  中容器の円筒状外周面
３ｄ  中容器の２剤混合用持ち手部（着脱用把持部）
３ｅ  中容器の持ち手部下面
３ｆ  中容器の、容器本体との当接部（密接部、外面側密接部）
３ｇ  中容器の突起
４  被覆部（シール、蓋部）
５  容器本体の段差部（テーパー部分）
６  容器本体のテーパ当接面
７  中容器の雄ねじ部
８  シールリング
９  Ｏリング  
１０  開口部（側面開口部）
１１  中容器の第二剤移動部Ｂ
１２、１２Ａ、１２Ｂ  流出ガイド
１３  容器本体の第二剤移動箇所Ａ
１４  容器本体の雌ねじ部
１５  取手付き蓋部（溶着蓋）
１６  中容器の溝部
１７  中容器の底部の末端部
１８  ドーナッツ状の溝部
１９  はめ込み式キャップ
２０  二剤混合容器
２１  濾過用フィルター
２２  容器本体のノズル
２３  容器本体のリブ
２４  容器本体底部の封止キャップ
２５  中容器の壁部
２６  切り込み
２７  段差
２８  テーパー部
２９  空間（溝部）
３０  段差部３１  溝部
Ａ  第一室に含まれるＡ液
Ｂ  第二室に含まれるＢ液
Ｋ  間隙（容器本体と中容器の隙間）
Ｐ  第一室
Ｑ  第二室
Ｘ  中容器の第一筒部
Ｙ  中容器の第二筒部  
Ｚ  中容器の第三筒部  
ｘ  容器本体の第一筒部
ｙ  容器本体の第二筒部
ｚ  容器本体の第三筒部
【図１】
2012032636.tif 000003
【図２】
2012032636.tif 000004
【図３】
2012032636.tif 000005
【図４】
2012032636.tif 000006
【図５】
2012032636.tif 000007
【図６】
2012032636.tif 000008
【図７】
2012032636.tif 000009
【図８】
2012032636.tif 000010
【図９】
2012032636.tif 000011
【図１０】
2012032636.tif 000012
【図１１】
2012032636.tif 000013
【図１２】
2012032636.tif 000014
【図１３】
2012032636.tif 000015
【図１４】
2012032636.tif 000016
【図１５】
2012032636.tif 000017
【図１６】
2012032636.tif 000018
【図１７】
2012032636.tif 000019
【図１８】
2012032636.tif 000020
【図１９】
2012032636.tif 000021
【図２０】
2012032636.tif 000022
【図２１Ａ】
2012032636.tif 000023
【図２１Ｂ】
2012032636.tif 000024
【図２１Ｃ】
2012032636.tif 000025
【図２２Ａ】
2012032636.tif 000026
【図２２Ｂ】
2012032636.tif 000027
【図２３Ａ】
2012032636.tif 000028
【図２３Ｂ】
2012032636.tif 000029
【図２４Ａ】
2012032636.tif 000030
【図２４Ｂ】
2012032636.tif 000031
【図２５】
2012032636.tif 000032
【図２６】
2012032636.tif 000033
【図２７】
2012032636.tif 000034
【図２８】
2012032636.tif 000035
【図２９】
2012032636.tif 000036
【図３０】
2012032636.tif 000037
【図３１Ａ】
2012032636.tif 000038
【図３１Ｂ】
2012032636.tif 000039
【図３１Ｃ】
2012032636.tif 000040
【図３２】
2012032636.tif 000041
【図３３Ａ】
2012032636.tif 000042
【図３３Ｂ】
2012032636.tif 000043
【図３４】
2012032636.tif 000044
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
容器本体とその開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記容器本体と密接する一つ以上の外面側密接部を有する、ことを特徴とする二剤混合容器。
【請求項２】
前記容器本体は、前記中容器収容部に前記第二剤移動箇所を有し、前記容器の長手方向に直交する前記第二剤移動箇所の内側断面形状は、前記中容器の前記外面側密接部の外側断面形状より大きい、請求項１の二剤混合容器。
【請求項３】
前記中容器は、前記側面開口部と前記底部とを含む円柱状部分を有し、
前記容器本体の前記中容器収容部は、前記中容器の底部の前記外面側密接部が当接する、テーパー部分を有し、
前記中容器を後退させた時に、前記円柱状部分と前記テーパー部分の間に隙間が形成される、請求項２の二剤混合容器。
【請求項４】
前記中容器は、前記側面開口部と前記底部とを含む円柱状部分を有し、前記底部の前記外面側密接部は前記底部の側面及び底面の少なくとも一つに位置し、
前記容器本体の前記中容器収容部は、前記中容器の前記外面側密接部と当接する、段差部分を有し、
前記中容器を後退させた時に、前記円柱状部分と前記段差部に隙間が形成される、請求項２の二剤混合容器。
【請求項５】
前記中容器は、前記側面開口部と前記底部とを含むテーパー部分を有し、前記底部の側面が前記外面側密接部であり、
前記容器本体は前記中容器収容部であるテーパー部分を有し、
これらテーパー部分は少なくとも一部で互いに当接し、
前記中容器を後退させた時に、これらテーパー部分の間に隙間が形成される、請求項２の二剤混合容器。
【請求項６】
前記中容器は、前記側面開口部と前記底部とを含む円柱状部分を有し、前記底部の側面に前記外面側密接部を有し、
前記容器本体の前記中容器収容部は、内壁に形成された溝部を有しかつ前記溝部より下で前記中容器の前記外面側密接部と当接する、円柱状部分を有し、
前記中容器を後退させた時に、前記円柱状部分と前記円柱状部分の前記溝部との間に隙間が形成される、請求項２の二剤混合容器。
【請求項７】
前記中容器は、前記底部を含む円柱状部分を有し、前記底部の側面に前記外面側密接部を有し、
前記容器本体の前記中容器収容部は、テーパー部分と、その下に位置する、前記中容器の前記外面側密接部が当接する円柱状部分と、を有し、
前記中容器を後退させた時に、前記中容器の前記円柱状部分と、前記容器本体のテーパー部分との間に、隙間が形成される、請求項２の二剤混合容器。
【請求項８】
前記中容器は前記容器本体に螺合により装着される、請求項１の二剤混合容器。
【請求項９】
前記容器本体は、第一筒部、第二筒部、及び第三筒部がこの順で連続する、略筒状形状であり、
前記第一筒部は前記開口部を有し、前記第二筒部よりも内径が大きく、
前記第二筒部は、前記第三筒部よりも内径が大きく、
前記第三筒部は、前記中容器の前記第二室の底部と共に、前記第一室を形成する、請求項１の二剤混合容器。
【請求項１０】
前記容器本体は、前記中容器と密接する一つ以上の内面側密接部を有し、前記内面密接部の一つは、第二筒部内、又は、第二筒部に隣接して形成される、請求項９の二剤混合容器。
【請求項１１】
前記中容器は、第一筒部、第二筒部、及び第三筒部がこの順で連続する、略筒状形状であり、
前記第一筒部、前記第二筒部、及び前記第三筒部の内側は、前記第二室である、請求項１の二剤混合容器。
【請求項１２】
前記中容器は前記容器本体の底部とは逆方向に向かい後退させ、前記外面側密接部を、前記第二剤移動箇所に位置させ、前記第二剤を、前記第一室に収容される第一剤中へ移動させる、請求項１の二剤混合容器。
【請求項１３】
前記中容器は、前記第二剤を投入する為の第二剤投入口と、
第二剤投入口からの第二剤の漏れを防止する被覆部とを有する、請求項１の二剤混合容器。
【請求項１４】
前記中容器の前記第二室の外壁の一部が外部に露出して形成される、請求項１の二剤混合容器。
【請求項１５】
更に、前記中容器の前記第二室を密閉する密閉蓋を有する、請求項１の二剤混合容器。
【請求項１６】
前記容器本体が軟質合成樹脂から形成され、前記中容器が硬質合成樹脂から形成される、請求項１の二剤混合容器。
【請求項１７】
前記中容器がその開口部から、別の中容器を着脱可能に収容する、請求項１の二剤混合容器。
【手続補正２】
【補正対象書類名】明細書
【補正対象項目名】０００８
【補正方法】変更
【補正の内容】
【０００８】
本発明の第一の態様は、容器本体とその開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記容器本体と密接する一つ以上の外面側密接部を有する、ことを特徴とする二剤混合容器である。
なお本発明の二剤混合容器は以下の特徴を好ましく有する。
上記二剤混合容器は、前記容器本体が、前記中容器収容部に前記第二剤移動箇所を有し、前記容器の長手方向に直交する前記第二剤移動箇所の内側断面形状は、前記中容器の前記外面側密接部の外側断面形状より大きい事が好ましい。
【手続補正３】
【補正対象書類名】明細書
【補正対象項目名】０００９
【補正方法】変更
【補正の内容】
【０００９】
上記二剤混合容器では、前記中容器は、前記側面開口部と前記底部とを含む円柱状部分を有し、前記容器本体の前記中容器収容部は、前記中容器の底部の前記外面側密接部が当接する、テーパー部分を有し、前記中容器を後退させた時に、前記円柱状部分と前記テーパー部分の間に隙間が形成される事が好ましい。
上記二剤混合容器では、前記中容器は、前記側面開口部と前記底部とを含む円柱状部分を有し、前記底部の前記外面側密接部は前記底部の側面及び底面の少なくとも一つに位置し、前記容器本体の前記中容器収容部は、前記中容器の前記外面側密接部と当接する、段差部分を有し、前記中容器を後退させた時に、前記円柱状部分と前記段差部に隙間が形成される事が好ましい。
【手続補正４】
【補正対象書類名】明細書
【補正対象項目名】００１０
【補正方法】変更
【補正の内容】
【００１０】
上記二剤混合容器では、前記中容器は、前記側面開口部と前記底部とを含むテーパー部分を有し、前記底部の側面が前記外面側密接部であり、前記容器本体は前記中容器収容部であるテーパー部分を有し、これらテーパー部分は少なくとも一部で互いに当接し、前記中容器を後退させた時にこれらテーパー部分の間に隙間が形成される事が好ましい。
上記二剤混合容器では、前記中容器は、前記側面開口部と前記底部とを含む円柱状部分を有し、前記底部の側面に前記外面側密接部を有し、前記容器本体の前記中容器収容部は、内壁に形成された溝部を有しかつ前記溝部より下で前記中容器の前記外面側密接部と当接する、円柱状部分を有し、前記中容器を後退させた時に、前記中容器の前記円柱状部分と前記容器本体の前記円柱状部分の前記溝部との間に隙間が形成される事が好ましい。
上記二剤混合容器では、前記中容器は、前記底部を含む円柱状部分を有し、前記底部の側面に前記外面側密接部を有し、前記容器本体の前記中容器収容部は、テーパー部分と、その下に位置する、前記中容器の前記外面側密接部が当接する円柱状部分とを有し、前記中容器を後退させた時に、前記中容器の前記円柱状部分と、前記容器本体のテーパー部分との間に、隙間が形成される事が好ましい。
上記二剤混合容器では、前記中容器は前記容器本体に螺合により装着される、事が好ましい。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
第一筒部、第二筒部、及び第三筒部がこの順で連続する、略筒状形状の容器本体と前記第一筒部の開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記中容器収容部内側と密接し、前記中容器の長手方向において、前記側面開口部を介して前記外面側密接部と離隔して設けられた一つ以上の突起部を有し、
前記容器本体は、前記中容器収容部に前記第二剤移動箇所を有し、前記容器本体の長手方向に直交する前記第二剤移動箇所の内側断面形状は、前記中容器の前記外面側密接部および前記突起部の外側断面形状より大きく、
前記中容器は、前記側面開口部と前記底部と前記突起部とを含む円柱形状部分を有し、
前記容器本体の前記中容器収容部は、前記中容器の底部の前記外面側密接部が当接する、テーパー部分を有し、
前記中容器を後退させた時に、前記円柱形状部分と前記テーパー部分の間に隙間が形成され、
前記容器本体が軟質合成樹脂から形成され、前記中容器が硬質合成樹脂から形成された、ことを特徴とする二剤混合容器。
【請求項２】
第一筒部、第二筒部、及び第三筒部がこの順で連続する、略筒状形状の容器本体と前記第一筒部の開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記中容器収容部内側と密接し、前記中容器の長手方向において、前記側面開口部を介して前記外面側密接部と離隔して設けられた一つ以上の突起部を有し、
前記容器本体は、前記中容器収容部に前記第二剤移動箇所を有し、前記容器本体の長手方向に直交する前記第二剤移動箇所の内側断面形状は、前記中容器の前記外面側密接部および前記突起部の外側断面形状より大きく、
前記中容器は、前記側面開口部と前記底部と前記突起部とを含む円錐形状部分を有し、
前記容器本体の前記中容器収容部は、前記中容器の底部の前記外面側密接部が当接する、テーパー部分を有し、
前記中容器を後退させた時に、前記円錐形状部分と前記テーパー部分の間に隙間が形成され、
前記容器本体が軟質合成樹脂から形成され、前記中容器が硬質合成樹脂から形成された、ことを特徴とする二剤混合容器。
【請求項３】
前記底部の前記外面側密接部は前記底部の側面及び底面の少なくとも一つに位置する、請求項１または２の二剤混合容器。
【請求項４】
前記中容器は前記容器本体に螺合により装着される、請求項１または２の二剤混合容器。
【請求項５】
前記第一筒部は、前記第二筒部よりも内径が大きく、
前記第二筒部は、前記第三筒部よりも内径が大きく、
前記第三筒部は、前記中容器の前記第二室の底部と共に、前記第一室を形成する、請求項１または２の二剤混合容器。
【請求項６】
前記容器本体は、前記中容器と密接する一つ以上の内面側密接部を有し、前記内面側密接部の一つは、前記第二筒部内、又は、前記第二筒部に隣接して形成される、請求項５の二剤混合容器。
【請求項７】
前記中容器は、第一筒部、第二筒部、及び第三筒部がこの順で連続する、略筒状形状であり、
前記第一筒部、前記第二筒部、及び前記第三筒部の内側は、前記第二室である、請求項１または２の二剤混合容器。
【請求項８】
前記中容器は前記容器本体の底部とは逆方向に向かい後退させ、前記外面側密接部を、前記第二剤移動箇所に位置させ、前記第二剤を、前記第一室に収容される第一剤中へ移動させる、請求項１または２の二剤混合容器。
【請求項９】
前記中容器は、前記第二剤を投入する為の第二剤投入口と、
前記第二剤投入口からの第二剤の漏れを防止する被覆部とを有する、請求項１または２の二剤混合容器。
【請求項１０】
前記中容器の前記第二室の外壁の一部が外部に露出して形成される、請求項１または２の二剤混合容器。
【請求項１１】
更に、前記中容器の前記第二室を密閉する密閉蓋を有する、請求項１または２の二剤混合容器。
【請求項１２】
前記中容器がその開口部から、別の中容器を着脱可能に収容する、請求項１または２の二剤混合容器。
【手続補正２】
【補正対象書類名】明細書
【補正対象項目名】０００８
【補正方法】変更
【補正の内容】
【０００８】
本発明の第一の態様は、第一筒部、第二筒部、及び第三筒部がこの順で連続する、略筒状形状の容器本体と前記第一筒部の開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記中容器収容部内側と密接し、前記中容器の長手方向において、前記側面開口部を介して前記外面側密接部と離隔して設けられた一つ以上の突起部を有し、
前記容器本体は、前記中容器収容部に前記第二剤移動箇所を有し、前記容器本体の長手方向に直交する前記第二剤移動箇所の内側断面形状は、前記中容器の前記外面側密接部および前記突起部の外側断面形状より大きく、
前記中容器は、前記側面開口部と前記底部と前記突起部とを含む円柱形状部分を有し、
前記容器本体の前記中容器収容部は、前記中容器の底部の前記外面側密接部が当接する、テーパー部分を有し、
前記中容器を後退させた時に、前記円柱形状部分と前記テーパー部分の間に隙間が形成され、
前記容器本体が軟質合成樹脂から形成され、前記中容器が硬質合成樹脂から形成された、ことを特徴とする二剤混合容器である。
【手続補正３】
【補正対象書類名】明細書
【補正対象項目名】０００９
【補正方法】変更
【補正の内容】
【０００９】
本発明の第二の態様は、第一筒部、第二筒部、及び第三筒部がこの順で連続する、略筒状形状の容器本体と前記第一筒部の開口部より着脱可能に挿入される中容器を有する二剤混合容器であって、
前記中容器は、第二剤を収容する第二室と、その側面に形成された一つ以上の側面開口部とを有し、
前記容器本体は、前記中容器の底部によって封止される、第一剤を収容する第一室と、前記中容器を後退させた時に前記第一室と前記第二室を連通させる、第二剤移動箇所と、前記中容器と密接する一つ以上の内面側密接部とを有し、
前記中容器は、前記容器本体の中容器収容部に収容され、
前記中容器の底部は、前記中容器収容部内側と接触して前記第一室を液密に封止する外面側密接部を有し、
前記中容器は、前記外面側密接部に加えて、更に前記中容器収容部内側と密接し、前記中容器の長手方向において、前記側面開口部を介して前記外面側密接部と離隔して設けられた一つ以上の突起部を有し、
前記容器本体は、前記中容器収容部に前記第二剤移動箇所を有し、前記容器本体の長手方向に直交する前記第二剤移動箇所の内側断面形状は、前記中容器の前記外面側密接部および前記突起部の外側断面形状より大きく、
前記中容器は、前記側面開口部と前記底部と前記突起部とを含む円錐形状部分を有し、
前記容器本体の前記中容器収容部は、前記中容器の底部の前記外面側密接部が当接する、テーパー部分を有し、
前記中容器を後退させた時に、前記円錐形状部分と前記テーパー部分の間に隙間が形成され、
前記容器本体が軟質合成樹脂から形成され、前記中容器が硬質合成樹脂から形成された、ことを特徴とする二剤混合容器である。
【手続補正４】
【補正対象書類名】明細書
【補正対象項目名】００１０
【補正方法】変更
【補正の内容】
【００１０】
上記二剤混合容器では、前記底部の前記外面側密接部は前記底部の側面及び底面の少なくとも一つに位置する事が好ましい。
上記二剤混合容器では、前記中容器は前記容器本体に螺合により装着される事が好ましい。
【手続補正５】
【補正対象書類名】明細書
【補正対象項目名】００１１
【補正方法】変更
【補正の内容】
【００１１】
上記二剤混合容器では、前記第一筒部ｘは、前記第二筒部ｙよりも内径が大きく、前記第二筒部ｙは、前記第三筒部ｚよりも内径が大きく、前記第三筒部ｚは、前記中容器の前記第二室の底部と共に、前記第一室を形成する事が好ましい。
上記二剤混合容器では、前記容器本体は、前記中容器と密接する一つ以上の内面側密接部を有し、前記内面側密接部の一つは、前記第二筒部ｙ内、又は、前記第二筒部ｙに隣接して形成される事が好ましい。
上記二剤混合容器では、前記中容器は、第一筒部Ｘ、第二筒部Ｙ、及び第三筒部Ｚがこの順で連続する、略筒状形状であり、前記第一筒部Ｘ、前記第二筒部Ｙ、及び前記第三筒部Ｚの内側は、前記第二室である事が好ましい。
【手続補正６】
【補正対象書類名】明細書
【補正対象項目名】００１２
【補正方法】変更
【補正の内容】
【００１２】
上記二剤混合容器では、前記中容器は前記容器本体の底部とは逆方向に向かい後退させ、前記外面側密接部を、前記第二剤移動箇所に位置させ、前記第二剤を、前記第一室に収容される第一剤中へ移動させる事が好ましい。
上記二剤混合容器では、前記中容器は、前記第二剤を投入する為の第二剤投入口と、前記第二剤投入口からの第二剤の漏れを防止する被覆部とを有する、事が好ましい。
上記二剤混合容器では、前記中容器の前記第二室の外壁の一部が外部に露出して形成される事が好ましい。
上記二剤混合容器では、更に、前記中容器の前記第二室を密閉する密閉蓋を有する事が好ましい。
上記二剤混合容器を複数組み合わせて使用する場合には、前記中容器がその開口部から、別の中容器を着脱可能に収容する事もできる。
【国際調査報告】
2012032636.tif 000045
2012032636.tif 000046
2012032636.tif 000047
2012032636.tif 000048